(57)【要約】【課題】  監視カメラ設置時の作業性を改善して、使用者が見やすく使い易いように新たな工夫を凝らした監視カメラシステムを提供する。【解決手段】  監視カメラシステムは、監視カメラ１１０と、画像記録装置１５０と、設置用モニタ装置１７０とを備える。監視カメラ１１０は、被写体からの光束による像を記録するためのカメラボディ１０２と、被写体からの光束を合焦させるための撮像レンズ１０４とを備える。設置用モニタ装置１７０は、カメラボディ１０２からビデオ信号を受け入れて被写体の像を、明視の距離に配置するような状態で表示するためのモニタ表示部１７８と、モニタ表示部１７８を使用者の頭部に固定するためのモニタ表示部支持部材とを備える。【選択図】      図１
2005341155.tif 000002
【特許請求の範囲】
【請求項１】
監視すべき必要範囲の映像を撮影して監視するための監視カメラシステムにおいて、
監視すべき必要範囲の映像を撮影するための監視カメラと、
前記監視カメラが撮影した映像を記録するための画像記録装置と、
前記監視カメラを設置するときに前記監視カメラを調整するための設置用モニタ装置とを備え、
前記監視カメラは、被写体からの光束による像を記録するためのカメラボディと、被写体からの光束を合焦させるための撮像レンズとを備えており、
前記設置用モニタ装置は、
前記カメラボディからビデオ信号を受け入れて被写体の像を、使用者の明視の距離に配置するような状態で表示するためのモニタ表示部と、
前記モニタ表示部を使用者の頭部に固定するためのモニタ表示部支持部材とを備える、
ことを特徴とする監視カメラシステム。
【請求項２】
前記モニタ表示部支持部材は、頭部支持部から延びる表示用アームで構成されることを特徴とする、請求項１に記載の監視カメラシステム。
【請求項３】
前記設置用モニタ装置は、前記画像記録装置と音声情報を無線によって送受信するための作業用無線ユニットを備えるように構成されることを特徴とする、請求項１に記載の監視カメラシステム。
【請求項４】
設置用モニタ装置は、眼鏡タイプに構成されており、
設置用モニタ装置は、右側フレームと、右側フレームによって支持された右側部分半透鏡と、右側フレームに配置された右側モニタユニットとを備え、
前記右側モニタユニットは、前記カメラボディからビデオ信号を受け入れて被写体の像を表示するための右側モニタ表示部を備え、前記右側部分半透鏡は、前記右側モニタ表示部が表示する被写体の像を反射することができるように構成される、
ことを特徴とする、請求項１に記載の監視カメラシステム。
【請求項５】
右側モニタ表示部が表示する表示内容を拡大するための右側光学素子を更に備えることを特徴とする、請求項４に記載の監視カメラシステム。
【請求項６】
右側フレームによって支持され、かつ、前記右側部分半透鏡よりも被写体に近い方の側に配置された前方視認用右側レンズを更に備えることを特徴とする、請求項５に記載の監視カメラシステム。
【請求項７】
前記設置用モニタ装置は、左側フレームと、左側フレームによって支持された左側部分半透鏡と、左側フレームに配置された左側モニタユニットとを備え、
前記左側モニタユニットは、前記被写体の像を表示するための左側モニタ表示部を備え、前記左側部分半透鏡は、前記左側モニタ表示部が表示する被写体の像を反射することができるように構成される、
ことを特徴とする、請求項４に記載の監視カメラシステム。
【請求項８】
左側モニタ表示部が表示する表示内容を拡大するための左側光学素子を更に備えることを特徴とする、請求項８に記載の監視カメラシステム。
【請求項９】
左側フレームによって支持され、かつ、前記左側部分半透鏡よりも被写体に近い方の側に配置された前方視認用左側レンズを更に備えることを特徴とする、請求項８に記載の監視カメラシステム。
【発明の詳細な説明】
【技術分野】
【０００１】
本発明は、監視すべき必要範囲の映像を撮影して監視するための監視カメラシステムに関する。特に、本発明は、監視カメラ設置時の作業性を改善して、使用者が使い易いように新たな工夫を凝らした監視カメラシステムに関する。
【背景技術】
【０００２】
従来、監視カメラ装置を設置する時は、監視カメラの設置場所と画像記録装置の設置場所は離れていた。したがって、監視すべき必要範囲に監視カメラを向けるために、監視カメラの設置場所と画像記録装置の設置場所にそれぞれ１名の作業者を配置する必要があった。このような従来の監視カメラ装置では、画像記録装置の設置場所にいる第１作業者が画像記録装置の画像表示部を見ながら無線機等を用いて、監視カメラの設置場所にいる第２作業者に対して、監視カメラを向ける方向、監視カメラのズーム設定、監視カメラのピント設定、監視カメラの絞り設定などの状況を指示して、監視カメラを最適な作動条件に調整設定する作業を行っていた。
【０００３】
近年、従来の第１タイプの監視カメラシステムにおいては、カメラ操作ユニットとビデオレコーダーとをパッケージケースの本体部に収容し、液晶ディスプレイのビデオモニターをパッケージケースの蓋部に設けている（特許文献１参照）。
また、従来の第２タイプの監視カメラ装置においては、キャビネットの一面にビデオカメラとビデオモニターとを接近させて一体に取り付けている（特許文献２参照）。
また、従来の第３タイプの監視カメラ装置においては、撮像カメラとディスプレイユニットを一体とした構造を用いている（特許文献３参照）。
さらに、従来の第４タイプの監視カメラのレンズには、ガルバノタイプと呼ばれる２枚の絞り羽根を有する絞り装置が用いられ、絞り羽根のうちの少なくとも一方にＮＤフィルタが貼り付けられている（特許文献４参照）。
さらに、従来のデジタルカメラでは、表示ユニットが装着部によりサンバイザーに取付可能に構成されている（特許文献５参照）。
【０００４】
【特許文献１】特開平５−３００４１７号公報（第２〜５頁、図１）
【特許文献２】特開平８−９８０６７号公報（第３〜６頁、図１）
【特許文献３】特開２００１−８６４８５号公報（第２頁、図１）
【特許文献４】特開平８−４３８７８号公報（第２〜３頁、図１〜図６）
【特許文献５】特開２００２−２０４３８２号公報（第３〜６頁、図１）
【発明の開示】
【発明が解決しようとする課題】
【０００５】
監視カメラ自体は、一般的に高所に設置されるので、従来の第１タイプの監視カメラシステムにおけるパッケージケースを抱えて、作業者が一名のみで監視カメラを最適な作動条件に調整設定する作業を行うことは、極めて危険である。さらに、このパッケージケースは構造が複雑で、使用する電子部品も多く、製造・組立に多大な工数を必要としていた。また、従来の第２タイプの監視カメラ装置や従来の第３タイプの監視カメラ装置を用いると、監視カメラの調整設定作業の作業性は改善されているけれども、いったん監視カメラの調整設定作業を行ってしょまうと、ビデオカメラとビデオモニターとを一体にしたモニタ装置、或いは、撮像カメラとディスプレイユニットを一体としたモニタ装置が不要となる。このため、モニタ装置の機器が大型化する点と、モニタ装置の製造・組立に多大な工数を必要としている点に課題が生じていた。さらに、従来のデジタルカメラでは、表示ユニットがサンバイザーに取付けられているので、使用者の目と、表示ユニットの液晶パネルとの間の距離が小さくて、液晶パネルの表示内容が見にくいという課題があった。
【０００６】
本発明の目的は、監視すべき必要範囲の映像を撮影して監視するための監視カメラシステムにおいて、監視カメラ設置時の作業性を改善して、使用者にとって表示内容を見やすく、使い易いように新たな工夫を凝らした監視カメラシステムを提供することにある。
本発明の他の目的は、監視カメラシステムの他の部品の変更をすることなしに、容易に監視カメラの設置作業を行うことができる設置用モニタ装置を提供することにある。
【課題を解決するための手段】
【０００７】
本発明は、監視すべき必要範囲の映像を撮影して監視するための監視カメラシステムにおいて、監視すべき必要範囲の映像を撮影するための監視カメラと、前記監視カメラが撮影した映像を記録するための画像記録装置と、前記監視カメラを設置するときに前記監視カメラを調整するための設置用モニタ装置とを備えるように構成した。この監視カメラシステムでは、前記監視カメラは、被写体からの光束による像を記録するためのカメラボディと、被写体からの光束を合焦させるための撮像レンズとを備えており、前記設置用モニタ装置は、前記カメラボディからビデオ信号を受け入れて被写体の像を、使用者の明視の距離に配置するような状態で表示するためのモニタ表示部と、前記モニタ表示部を使用者の頭部に固定するためのモニタ表示部支持部材とを備えることを特徴とする。この構成により、監視カメラ設置時の作業性を改善して、監視カメラの設置作業を安全確実に行うことができる。本発明の監視カメラシステムでは、前記モニタ表示部支持部材は、頭部支持部から延びる表示用アームで構成することができる。本発明の監視カメラシステムでは、前記設置用モニタ装置は、前記画像記録装置と音声情報を無線によって送受信するための作業用無線ユニットを備えるように構成することができる。
【０００８】
本発明の監視カメラシステムでは、設置用モニタ装置は、眼鏡タイプに構成され、設置用モニタ装置は、右側フレームと、右側フレームによって支持された右側部分半透鏡と、右側フレームに配置された右側モニタユニットとを備え、前記右側モニタユニットは、前記カメラボディからビデオ信号を受け入れて被写体の像を表示するための右側モニタ表示部を備え、前記右側部分半透鏡は、前記右側モニタ表示部が表示する被写体の像を反射することができるように構成されるのが好ましい。このような本発明の監視カメラシステムでは、右側モニタ表示部が表示する表示内容を拡大するための右側光学素子を更に備えることができる。また、このような本発明の監視カメラシステムでは、右側フレームによって支持され、かつ、前記右側部分半透鏡よりも被写体に近い方の側に配置された前方視認用右側レンズを更に備えることができる。この構成により、小型で使い易く、被写体が見やすい監視カメラシステムを実現することができる。
【０００９】
また、このような本発明の監視カメラシステムでは、前記設置用モニタ装置は、左側フレームと、左側フレームによって支持された左側部分半透鏡と、左側フレームに配置された左側モニタユニットとを備え、前記左側モニタユニットは、前記被写体の像を表示するための左側モニタ表示部を備え、前記左側部分半透鏡は、前記左側モニタ表示部が表示する被写体の像を反射することができるように構成することができる。また、このような本発明の監視カメラシステムでは、左側モニタ表示部が表示する表示内容を拡大するための左側光学素子を更に備えることができる。また、このような本発明の監視カメラシステムでは、左側フレームによって支持され、かつ、前記左側部分半透鏡よりも被写体に近い方の側に配置された前方視認用左側レンズを更に備えることができる。この構成により、小型で使い易く、被写体が見やすい監視カメラシステムを実現することができる。
【発明の効果】
【００１０】
本発明の監視カメラシステムを用いることにより、監視カメラ設置時の作業性を改善して、監視カメラの設置作業を安全確実に行うことができる。また、本発明の監視カメラシステムを用いることにより、監視カメラの設置作業を一人で行うことができる。本発明の監視カメラシステムを用いるときには、設置用モニタ装置を監視カメラの「ビデオＯＵＴ端子」に接続すればよいので、監視カメラシステムの他の部品の変更を行う必要はない。
【発明を実施するための最良の形態】
【００１１】
以下に、本発明の実施形態を図面に基づいて説明する。
（１）第１の実施の形態
最初に、本発明の監視カメラシステムの第１の実施の形態について説明する。
（１・１）監視カメラシステムの全体構造
図１および図２を参照すると、本発明の監視カメラシステム１００は、監視カメラ１１０と、画像記録装置１５０と、設置用モニタ装置１７０とを含む。監視カメラ１１０は、被写体からの光束による像を記録するためのカメラボディ１０２と、被写体からの光束を合焦させるための撮像レンズ１０４とを備える。
【００１２】
（１・２）撮像レンズとカメラボディ
撮像レンズ１０４は、レンズマウント１０４ｍにより、カメラボディ１０２に対して着脱可能に取り付けられる。変形例として、撮像レンズ１０４をカメラボディ１０２に固定した構造であってもよい。撮像レンズ１０４は撮像レンズ光軸１０４ｘと、前群光学系１０６と、後群光学系１０８と、絞り装置１２０とを有する。後群光学系１０８は、撮像レンズ光軸１０４ｘにそって移動可能なように構成されたフォーカスレンズ系を構成する。或いは、前群光学系１０６および後群光学系１０８が、いずれも移動可能なように構成され、フォーカスレンズ系を構成することもできる。
【００１３】
撮像レンズ１０４は鏡胴体１２２を含む。鏡胴体１２２は、第１筒部１２２ａと、第２筒部１２２ｂと、後群光学系１０８を支持するレンズ枠１２２ｃと、絞り装置導入部１２２ｄと、フォーカス操作環１２２ｆとを含む。フォーカス操作環１２２ｆを回転させることにより、後群光学系１０８を移動させることができるように構成される。或いは、フォーカス操作環１２２ｆを回転させることにより、前群光学系１０６及び後群光学系１０８を移動させることができるように構成することもできる。前群光学系１０６及び後群光学系１０８の支持構造は、例えば、特許文献４に開示されているような公知の構造を用いることができる。絞り装置１２０は、撮像レンズ光軸１０４ｘに対して垂直に絞り装置導入部１２２ｄに挿入される。絞り装置１２０の中心軸線と、鏡胴体１２２の中心軸線とが一致するように、絞り装置１２０は鏡胴体１２２の中に配置される。
【００１４】
カメラボディ１０２には、撮像レンズ１０４により結像される被写体の画像を電気信号に変換するための固体撮像素子１３０と、固体撮像素子１３０から出力される被写体の画像に関する電気信号を処理するための電気信号処理部１３２と、電気信号処理部１３２により処理された被写体の画像に関する電気信号を記録する信号を出力するための画像記録信号発生部１３４と、監視カメラ１１０を操作するためのスイッチ１３８と、監視カメラ１１０の動作を制御するための動作制御部１４０などが設けられる。固体撮像素子１３０は、ＣＣＤなどで構成することができる。電気信号処理部１３２と、画像記録信号発生部１３４と、動作制御部１４０とは、各種の動作を行うプログラムを内蔵したＭＯＳ−ＩＣ及び／又はＰＬＡ−ＩＣなどで構成することができる。また、必要に応じて、監視カメラ１１０には、ＭＯＳ−ＩＣ及び／又はＰＬＡ−ＩＣとともに、抵抗、コンデンサ、コイル、ダイオード、トランジスタなどの外付け素子を用いることができる。
【００１５】
（１・３）画像記録装置
画像記録装置１５０がカメラボディ１０２と別個に設けられる。画像記録装置１５０は、例えば、ＶＴＲレコーダで構成される。画像記録装置１５０の接続端子は接続コード１５２によってカメラボディ１０２の接続端子と接続される。接続コード１５２は、画像記録装置１５０からカメラボディ１０２に電力を供給し、かつ、画像記録装置１５０から動作制御部１４０に対して、監視カメラ１１０の動作を制御する信号を送ることができるように構成される。さらに、接続コード１５２は、カメラボディ１０２の接続端子を介して、画像記録信号発生部１３４と動作制御部１４０が出力する被写体の画像に関する電気信号（ビデオ信号）を画像記録装置１５０に送ることができるように構成される。或いは、伝達する機能に対応するように、複数の接続コードをカメラボディ１０２の接続端子と画像記録装置１５０の接続端子との間に接続してもよい。
【００１６】
接続コード１５３は、カメラボディ１０２の画像記録信号発生部１３４と動作制御部１４０が出力する被写体の画像に関する電気信号（ビデオ信号）を設置用モニタ装置１７０に送ることができるように構成される。カメラボディ１０２に「ビデオＯＵＴ端子」を設けた構成では、接続コード１５３は、監視カメラの「ビデオＯＵＴ端子」に直接接続するように構成することができる。或いは、伝達する機能に対応するように、複数の接続コードをカメラボディ１０２と設置用モニタ装置１７０との間に接続してもよい。或いは、接続コード１５３により、カメラボディ１０２の接続端子から設置用モニタ装置１７０の接続端子に対して、電力の供給と、制御信号およびビデオ信号などの信号の受け渡しを行うことができるように構成することもできる。
【００１７】
或いは、必要に応じて、分配器１５１（図２に仮想線で示す）が接続コード１５２および接続コード１５３と、カメラボディ１０２の接続端子との間に配置される。分配器１５１は、画像記録装置１５０および設置用モニタ装置１７０と、カメラボディ１０２との間で、電力の供給と、制御信号およびビデオ信号などの信号の受け渡しを分配して行うことができるように構成される。或いは、カメラボディ１０２の接続端子を介して、画像記録装置１５０と設置用モニタ装置１７０とを接続してもよい。この構成では、画像記録装置１５０から電力を設置用モニタ装置１７０に供給することができる。
【００１８】
画像記録装置１５０には、カメラボディ１０２から送られる被写体の画像に関する電気信号（ビデオ信号）を入力して、被写体の画像を記録する処理を行うための記録処理部１５４と、記録処理部１５４が動作することにより被写体の画像を記録するための記録媒体１５６が設けられる。記録媒体１５６は、ＶＴＲテープであってもよいし、ＲＡＭカード、フレキシブルディスク、光ディスク、光磁気ディスク、ＣＤ−Ｒ、ＣＤ−ＲＷ、ＤＶＤ−ＲＡＭ、ＤＶＤ−ＲＷなどで構成することもできる。画像記録装置１５０は、監視カメラ１１０から送られる被写体の画像を表示するための画像表示部１６０と、画像記録装置１５０を操作するためのスイッチ１６２と、画像記録装置１５０を電源に接続するための電源コード１６４とを備える。画像記録装置１５０を動作させるための電源は、外部の交流電源を用いることもできるし、外部の電池を用いることもできるし、或いは、画像記録装置１５０内に配置された電池を用いてもよい。記録媒体は、カメラボディ１０２内に設けることもできる。必要ならば、カメラボディ１０２に電池などの電源を配置することもできる。
【００１９】
（１・４）設置用モニタ装置
設置用モニタ装置１７０は、湾曲したアーム状の頭部支持部１７１と、頭部支持部１７１の一端に設けられた右耳接触部１７２と、頭部支持部１７１の他端に設けられた左耳接触部１７３と、右耳接触部１７２から延びる表示用アーム１７７と、表示用アーム１７７の先端部に固定されたモニタ表示部１７８と、右耳接触部１７２に設けられたモニタユニット１８０とを備える。モニタ表示部１７８を表示用アーム１７７の先端部に固定することにより、モニタ表示部１７８を明視の距離に配置することができるので、使用者にとって表示内容は非常にみやすいものにすることができる。或いは、モニタユニット１８０は、左耳接触部１７３に設けることもできる。使用者は、右耳接触部１７２を右耳に当て、左耳接触部１７３を左耳に当て、頭部支持部１７１を頭部の上に配置し、モニタ表示部１７８が見やすくなるように、表示用アーム１７７の先端部を、口の前下の方、又は、口の前の方、又は、鼻の前の方、又は、目の前下の方などに位置するようにして、設置用モニタ装置１７０を頭部に付けることができる（特に、図１を参照）。
【００２０】
接続コード１５５はモニタユニット１８０の接続端子に接続される。モニタユニット１８０の接続端子とモニタ表示部１７８の接続端子は、別の接続コード１８２によって接続される。モニタユニット１８０の動作を制御するためのユニットスイッチ１８２ｃがモニタユニット１８０に設けられる。或いは、ユニットスイッチは、接続コード１８２に設けることもできるし、表示用アーム１７７に設けることもできるし、モニタ表示部１７８に設けることもできる。
【００２１】
図３を参照すると、モニタユニット１８０は、ユニットスイッチ１８２ｃからモニタユニット１８０の動作を制御するための信号を受け入れてモニタユニット１８０の動作を行う制御信号を出力するスイッチ信号入力部１８０ｄと、スイッチ信号入力部１８０ｄが出力する制御信号に基づいてモニタユニット１８０の動作の制御を行う動作制御部１８０ｅと、動作制御部１８０ｅが出力する制御信号に基づいて、カメラボディ１０２の画像記録信号発生部１３４が出力する被写体の画像に関する電気信号（ビデオ信号）を受け入れて、被写体の画像に関する信号を出力する信号入力部１８０ｆと、動作制御部１８０ｅが出力する制御信号に基づいて、信号入力部１８０ｆが出力する信号を受け入れて、ビデオ信号を変換処理（デコ−ド）し、Ｒ・Ｇ・Ｂの色信号と、Ｖ／Ｈの同期信号に分離し、Ｒ・Ｇ・Ｂの色信号をＡ−Ｄ変換（アナログ・デジタル変換）する信号処理部１８０ｇと、動作制御部１８０ｅが出力する制御信号に基づいて信号処理部１８０ｇが出力する信号を受け入れて、モニタ表示部１７８に表示駆動信号を出力する表示駆動部１８０ｈとを含む。
【００２２】
モニタ表示部１７８は、例えば、液晶パネルで構成される。モニタ表示部１７８は、例えば、ＴＦＴパネルで構成することもできるし、ＬＥＤパネルで構成することもできるし、ＥＬパネルなどで構成することもできる。モニタ表示部１７８を液晶パネルで構成する場合、バックライト又はサイドライトなどのモニタ表示部１７８を照明する発光素子を設けるのが好ましい。スイッチ信号入力部１８０ｄと、動作制御部１８０ｅと、信号入力部１８０ｆと、信号処理部１８０ｇと、表示駆動部１８０ｈとは、各種の動作を行うプログラムを内蔵したＭＯＳ−ＩＣ及び／又はＰＬＡ−ＩＣなどで構成することができる。必要に応じて、基準信号を発生するための水晶振動子（図示せず）と、電源を構成する電池（図示せず）がモニタユニット１８０に配置される。また、モニタユニット１８０は、必要に応じて、ＭＯＳ−ＩＣ及び／又はＰＬＡ−ＩＣとともに、抵抗、コンデンサ、コイル、ダイオード、トランジスタなどの外付け素子を備えることができる。モニタユニット１８０の動作を制御するためのスイッチ１８２ｃがモニタユニット１８０に設けられる。或いは、モニタユニット１８０の動作を制御するためのスイッチは、接続コード１８２に設けることもできるし、表示用アーム１７７に設けることもできるし、モニタ表示部１７８に設けることもできる。
【００２３】
本発明の監視カメラシステムを用いることにより、監視カメラ設置時の作業性を改善して、監視カメラの設置作業を安全確実に行うことができる。また、本発明の監視カメラシステムを用いることにより、監視カメラの設置作業を一人で行うことができる。
【００２４】
（１・５）無線ユニット
或いは、必要ならば、画像記録装置１５０は、設置用モニタ装置１７０と音声情報を無線によって送受信するための管理用無線ユニット１６５を備えるように構成することができる。この構成では、管理用無線ユニット１６５は、マイク１６５ａと、スピーカ１６５ｂと、アンテナ１６５ｃと、無線制御回路（図示せず）を含むように構成することができる。この場合、設置用モニタ装置１７０は、画像記録装置１５０と音声情報を無線によって送受信するための作業用無線ユニット１７５を備えるように構成することができる。この構成では、作業用無線ユニット１７５は、マイク１７５ａと、スピーカ１７５ｂと、アンテナ１７５ｃと、無線制御回路（図示せず）を含むように構成することができる。作業用無線ユニット１７５の無線制御回路はモニタユニット１８０に配置され、アンテナ１７５ｃはモニタユニット１８０に取付けられるのがよい。マイク１７５ａは表示用アーム１７７の先端部取付けられるのがよい。スピーカ１７５ｂは、２つのイヤホンとして右耳接触部１７２と、左耳接触部１７３に内蔵され、ヘッドホンタイプのスピーカを構成するのがよい。或いは、スピーカ１７５ｂは、１つのイヤホンとして右耳接触部１７２、又は、左耳接触部１７３に内蔵することもできる。
【００２５】
（１・６）監視カメラシステムの作用
以下に、本発明の監視カメラシステムの第１の実施形態において、監視カメラシステム１００の作用について説明する。図１〜図３を参照すると、監視カメラ１１０を監視すべき領域に設置する時、使用者は、ユニットスイッチ１８０ｃを操作して、モニタユニット１８０を作動させ、モニタ表示部１７８を見ながら、監視領域にある被写体のピントを合わせることができる。このとき、使用者は、監視カメラ１００の撮影レンズ１０４の絞り装置１２０を調整しながら、監視領域にある被写体のピントを合わせることができる。
【００２６】
使用者は監視カメラ１１０を操作して、監視カメラ１１０を作動させ、ＣＣＤ素子１３０を作動させる。監視カメラ１１０の作動は、画像記録装置１５０により制御することもできる。この状態で、ＣＣＤ素子１３０は被写体からの光束を受け入れる。次に、画像記録信号発生部１３４は、ＣＣＤ素子１３０が出力する信号に基づいて、監視領域にある被写体の画像に関する情報を記録するための信号を出力する。次に、動作制御部１４０は、画像記録信号発生部１３４が出力する信号に基づいて、被写体の画像に関する電気信号（ビデオ信号）を設置用モニタ装置１７０に送る。さらに、必要に応じて、被写体の画像に関する電気信号（ビデオ信号）を画像記録装置１５０に送ることができる。このとき、画像記録装置１５０の記録処理部１５４は、カメラボディ１０２から送られる被写体の画像に関する電気信号を入力して、被写体の画像を記録する処理を行うことができる。
【００２７】
モニタユニット１８０において、スイッチ信号入力部１８０ｄは、ユニットスイッチ１８０ｃからモニタユニット１８０の動作を制御するための信号を受け入れてモニタユニット１８０の動作を行う制御信号を出力する。動作制御部１８０ｅは、スイッチ信号入力部１８０ｄが出力する制御信号に基づいてモニタユニット１８０の動作の制御を行う。信号入力部１８０ｆは、動作制御部１８０ｅが出力する制御信号に基づいて、カメラボディ１０２の画像記録信号発生部１３４が出力する被写体の画像に関する電気信号（ビデオ信号）を受け入れて、被写体の画像に関する信号を出力する。信号処理部１８０ｇは、動作制御部１８０ｅが出力する制御信号に基づいて、信号入力部１８０ｆが出力する信号を受け入れて、ビデオ信号を変換処理（デコ−ド）し、Ｒ・Ｇ・Ｂの色信号と、Ｖ／Ｈの同期信号に分離し、Ｒ・Ｇ・Ｂの色信号をＡ−Ｄ変換（アナログ・デジタル変換）する。表示駆動部１８０ｈは、動作制御部１８０ｅが出力する制御信号に基づいて信号処理部１８０ｇが出力する信号を受け入れて、モニタ表示部１７８に表示駆動信号を出力する。
【００２８】
使用者は、絞り装置１２０を操作して、開放絞り値を設定し、監視カメラ１１０の撮影レンズ１０４の前に、市販のＮＤフィルタをかざす。必要に応じて、使用者は、ＮＤフィルタの使用枚数を１枚ずつ増やして、ＮＤフィルタが適切な濃度になり、モニタ表示部１７８に被写体が見えるようになるまで、監視カメラ１１０の撮影レンズ１０４に入る被写体の画像の光量を減光する。ＮＤフィルタが適切な濃度になり、モニタ表示部１７８に、監視領域にある被写体の画像が見えるようになると、使用者は、モニタ表示部１７８を見て、監視領域にある被写体の画像を確認しながら、監視カメラ１１０の撮影レンズ１０４のピントを合わせる。次に、使用者は、絞り装置１２０を操作して、適正な絞りの値になるように設定する。モニタ表示部１７８が表示用アーム１７７の先端部に固定されているので、使用者はモニタ表示部１７８の表示内容をはっきりと確認して調整作業を行うことができる。
【００２９】
次に、使用者は画像記録装置１５０を操作して、監視カメラ１１０の動作を制御し、被写体の画像に関する電気信号を画像記録装置１５０に送る。次に、画像記録装置１５０の記録処理部１５４は、カメラボディ１０２から送られる被写体の画像に関する電気信号を入力して、被写体の画像を記録する処理を行う。画像記録装置１５０の記録処理部１５４が動作することにより、監視領域にある被写体の画像は記録媒体１５６に記録される。必要に応じて、監視領域にある被写体の画像を記録媒体１５６に記録すると同時に、画像記録装置１５０の画像表示部１６０は、監視カメラ１００から送られる被写体の画像を表示することができる。この構成により、使用者は、監視カメラ１１０と設置用モニタ装置１７０を用いて監視カメラ１１０の初期設定を行い、監視カメラ１１０と画像記録装置１５０を用いて、監視領域にある被写体の状態を監視し、同時に、被写体の画像を記録することができる。
【００３０】
或いは、画像記録装置１５０が管理用無線ユニット１６５を備え、設置用モニタ装置１７０が作業用無線ユニット１７５を備える構成では、管理用無線ユニット１６５と作業用無線ユニット１７５を用いて、監視カメラ１１０、画像記録装置１５０、設置用モニタ装置１７０の作動を同時に管理して、監視カメラ１１０の初期設定を一層効率良く行うことができる。
【００３１】
（２）第２の実施の形態
次に、本発明の監視カメラシステムの第２の実施の形態を説明する。以下の説明は、本発明の監視カメラシステムの第２の実施形態が本発明の監視カメラシステムの第１の実施形態と異なる点を主に述べる。したがって、以下に記載がない個所は、前述した本発明の監視カメラシステムの第１の実施形態についての説明をここに準用する。
【００３２】
（２・１）監視カメラシステムの構成
図４および図５を参照すると、本発明の監視カメラシステムの第２の実施の形態において、監視カメラシステム２００は、監視カメラ１１０と、画像記録装置１５０と、設置用モニタ装置２２０とを含む。画像記録装置１５０の接続端子は接続コード１５２によって監視カメラ１１０のカメラボディ１０２の接続端子と接続される。接続コード１５３は、監視カメラ１１０のカメラボディ１０２の画像記録信号発生部１３４と動作制御部１４０が出力する被写体の画像に関する電気信号（ビデオ信号）を設置用モニタ装置１７０に送ることができるように構成される。
【００３３】
第２の実施の形態では、図４に示すように、設置用モニタ装置２２０は、眼鏡のタイプに構成されている。設置用モニタ装置２２０は、右側フレーム２２２と、右側フレーム２２２に固定された右側アーム２２４と、右側アーム２２４に対してヒンジ連結された右側支持部２２６と、右側フレーム２２２によって支持された前方視認用右側レンズ２３０と、右側フレーム２２２によって支持されかつ前方視認用右側レンズ２３０よりも使用者の目に近い方の側に配置された右側部分半透鏡２３２と、右側フレーム２２２の上部に配置された右側モニタユニット２３４とを備える。設置用モニタ装置２２０は、さらに、左側フレーム２４２と、左側フレーム２４２に固定された左側アーム２４４と、左側アーム２４４に対してヒンジ連結された左側支持部２４６と、左側フレーム２４２によって支持された前方視認用左側レンズ２５０と、左側フレーム２４２によって支持されかつ前方視認用左側レンズ２５０よりも使用者の目に近い方の側に配置された左側部分半透鏡２５２と、左側フレーム２４２の上部に配置された左側モニタユニット２５４と、右側フレーム２２２の中側部分と左側フレーム２４２の中側部分とを連結する連結ブリッジ２６０とを備える。或いは、右側モニタユニット２３４は、右側フレーム２２２の下部に配置することもできるし、右側フレーム２２２の右部に配置することもできる。前方視認用右側レンズ２３０は、近眼用レンズ、老眼用レンズ、遠近両用レンズ、カラーランズなどで構成することができる。或いは、必要なければ、前方視認用右側レンズ２３０を設けないように構成してもよい。
【００３４】
使用者は、眼鏡を付けるときと同じように、設置用モニタ装置２２０の右側支持部２２６の下面を右耳に当て、左側支持部２４６の下面を左耳に当てて、設置用モニタ装置２２０を顔の全面に付けることができる。右側モニタユニット２３４の接続端子と左側モニタユニット２５４の接続端子は接続コード１５３ｂによって接続される。監視カメラ１１０のカメラボディ１０２の接続端子は右側モニタユニット２３４の接続端子と接続コード１５３によって接続される。設置用モニタ装置２２０の動作を制御するためのユニットスイッチ１８３ｃが接続コード１５３に設けられる。或いは、ユニットスイッチ１８３ｃは、右側支持部２２６に設けることもできるし、右側フレーム２２２に設けることもできるし、右側アーム２２４などに設けることもできる。
【００３５】
図５を参照すると、右側モニタユニット２３４は、右側モニタ制御部２３４ａと、右側モニタ表示部２３４ｂと、右側光学素子２３４ｃとを含む。図３に示す構成と同様に、右側モニタ制御部２３４ａは、ユニットスイッチ１８３ｃから右側モニタユニット２３４の動作を制御するための信号を受け入れて右側モニタユニット２３４の動作を行う制御信号を出力するスイッチ信号入力部１８０ｄと、スイッチ信号入力部１８０ｄが出力する制御信号に基づいて右側モニタユニット２３４の動作の制御を行う動作制御部１８０ｅと、動作制御部１８０ｅが出力する制御信号に基づいて、カメラボディ１０２の画像記録信号発生部１３４が出力する被写体の画像に関する電気信号（ビデオ信号）を受け入れて、被写体の画像に関する信号を出力する信号入力部１８０ｆと、動作制御部１８０ｅが出力する制御信号に基づいて、信号入力部１８０ｆが出力する信号を受け入れて、ビデオ信号を変換処理（デコ−ド）し、Ｒ・Ｇ・Ｂの色信号と、Ｖ／Ｈの同期信号に分離し、Ｒ・Ｇ・Ｂの色信号をＡ−Ｄ変換（アナログ・デジタル変換）する信号処理部１８０ｇと、動作制御部１８０ｅが出力する制御信号に基づいて信号処理部１８０ｇが出力する信号を受け入れて、右側モニタ表示部２３４ｂに表示駆動信号を出力する表示駆動部１８０ｈとを含む。右側モニタ表示部２３４ｂは、例えば、液晶パネルで構成される。右側モニタ表示部２３４ｂは、例えば、ＴＦＴパネルで構成することもできるし、ＬＥＤパネルで構成することもできるし、ＥＬパネルなどで構成することもできる。右側モニタ表示部２３４ｂを液晶パネルで構成するとき、バックライト又はサイドライトなどの右側モニタ表示部２３４ｂを照明する発光素子を設けるのが好ましい。
【００３６】
スイッチ信号入力部１８０ｄと、動作制御部１８０ｅと、信号入力部１８０ｆと、信号処理部１８０ｇと、表示駆動部１８０ｈとは、各種の動作を行うプログラムを内蔵したＭＯＳ−ＩＣ及び／又はＰＬＡ−ＩＣなどで構成することができる。必要に応じて、基準信号を発生するための水晶振動子（図示せず）と、電源を構成する電池（図示せず）が右側モニタユニット２３４に配置される。また、右側モニタユニット２３４は、必要に応じて、ＭＯＳ−ＩＣ及び／又はＰＬＡ−ＩＣとともに、抵抗、コンデンサ、コイル、ダイオード、トランジスタなどの外付け素子を備えることができる。変形例として、右側モニタユニット２３４は、右側アーム２２４に設けることもできるし、右側アーム２２４に設けることもできる。
【００３７】
右側部分半透鏡２３２はハーフミラー内蔵素子で構成される。すなわち、右側部分半透鏡２３２は、上方に配置され、かつ水平面に対して４５度の角度をなすように形成された下斜面を下端部に有する上部プリズム部材２３２ａと、下方に配置され、かつ水平面に対して４５度の角度をなすように形成された上斜面を上端部に有する下部プリズム部材２３２ｂと、上部プリズム部材２３２ａの下斜面と、下部プリズム部材２３２ｂの上斜面との間に設けられた斜設半透鏡２３２ｃとを含む。例えば、斜設半透鏡２３２ｃは、下部プリズム部材２３２ｂの上斜面に銀などを蒸着することにより形成することができる。或いは、斜設半透鏡２３２ｃは、上部プリズム部材２３２ａの下斜面に銀などを蒸着することにより形成することができる。
【００３８】
右側部分半透鏡２３２は、上方から入射する光線を後方に（すなわち、使用者の目に向けて）反射することができるように構成される。右側部分半透鏡２３２は、前方から（監視領域から）入射する光線の一部を後方に（すなわち、使用者の目に向けて）透過することができるように構成される。右側部分半透鏡２３２の光線透過率は、２０％〜８０％であるのが好ましく、４０％〜６０％であるのが一層好ましい。右側部分半透鏡２３２の光線透過率を４０％〜６０％に設定することにより、使用者は前方の状態を肉眼によって明瞭に認識することができる。この構成では、右側部分半透鏡２３２を用いているので、前述した本発明の第１の実施形態と異なり、右側部分半透鏡２３２によって反射された右側モニタ表示部２３４ｂが表示する表示内容を使用者が正立虚像として見ることができるように、表示駆動部１８０ｈが右側モニタ表示部２３４ｂに出力する表示駆動信号は、右側モニタ表示部２３４ｂが上下反転したミラーイメージ（鏡像対象）の画像を表示するように変換した出力信号である。
【００３９】
右側光学素子２３４ｃは、右側モニタ表示部２３４ｂが表示する表示内容を拡大して、さらに、斜設半透鏡２３２ｃで後方に反射させることにより、使用者が大きな表示内容の画像を、明視の距離に配置するような状態で明瞭に見ることができるようにするために、右側モニタユニット２３４に設けられる。右側光学素子２３４ｃは、単数又は複数の凸レンズを含み、さらに、必要に応じて単数又は複数の凹レンズも含むように構成される。図５に示す構成では、右側光学素子２３４ｃの光軸２３４ｘは垂直方向に配置され、右側部分半透鏡２３２は水平面に対して４５度の角度をなすように配置され、前方視認用右側レンズ２３０の光軸２３０ｘは垂直方向に配置される。右側光学素子２３４ｃの光軸２３４ｘと、前方視認用右側レンズ２３０の光軸２３０ｘは、一致するように構成されるのが好ましい。この構成により、右側モニタ表示部２３４ｂが表示する表示内容を明視の距離に配置するような状態にすることができるので、使用者は右側モニタ表示部２３４ｂが表示する表示内容を肉眼によって明瞭に見ることができる。
【００４０】
図６を参照すると、左側モニタユニット２５４は、左側モニタ表示部２５４ｂと、左側光学素子２５４ｃとを含む。或いは、必要に応じて、左側モニタユニット２５４は、左側モニタ制御部２５４ａを備えてもよい。左側モニタ表示部２５４ｂは、例えば、液晶パネルで構成される。左側モニタ表示部２５４ｂは、例えば、ＴＦＴパネルで構成することもできるし、ＬＥＤパネルで構成することもできるし、ＥＬパネルなどで構成することもできる。左側モニタ表示部２５４ｂを液晶パネルで構成する場合、バックライト又はサイドライトなどの左側モニタ表示部２５４ｂを照明する発光素子を設けるのが好ましい。左側モニタ表示部２５４ｂは、接続コード１５３ｂを介して、右側モニタユニット２３４の右側モニタ制御部２５４ａから左側モニタ表示部２５４ｂを駆動するための表示駆動信号を受け入れる。或いは、左側モニタ制御部２５４ａを備える構成では、左側モニタ表示部２５４ｂは、左側モニタ制御部２５４ａから左側モニタ表示部２５４ｂを駆動するための表示駆動信号を受け入れることができる。或いは、左側モニタユニット２５４は、左側フレーム２４２の下部に配置することもできるし、左側フレーム２４２の左部に配置することもできる。前方視認用左側レンズ２５０は、近眼用レンズ、老眼用レンズ、遠近両用レンズ、カラーランズなどで構成することができる。或いは、必要なければ、前方視認用左側レンズ２５０を設けないように構成してもよい。
【００４１】
左側部分半透鏡２５２はハーフミラー内蔵素子で構成される。すなわち、左側部分半透鏡２３２は、右側部分半透鏡２５２と同様に構成され、上方に配置され、かつ水平面に対して４５度の角度をなすように形成された下斜面を下端部に有する上部プリズム部材２５２ａと、下方に配置され、かつ水平面に対して４５度の角度をなすように形成された上斜面を上端部に有する下部プリズム部材２５２ａと、上部プリズム部材２５２ａの下斜面と、下部プリズム部材２５２ａの上斜面との間に設けられた斜設半透鏡２５２ｃとを含む。この構成では、左側部分半透鏡２５２を用いているので、前述した本発明の第１の実施形態と異なり、左側部分半透鏡２５２によって反射された左側モニタ表示部２５４ｂが表示する表示内容を使用者が正立虚像として見ることができるように、表示駆動部１８０ｈが右側モニタ表示部２３４ｂに出力する表示駆動信号は、右側モニタ表示部２３４ｂが上下反転したミラーイメージ（鏡像対象）の画像を表示するように変換した出力信号である。
【００４２】
左側光学素子２５４ｃは、左側モニタ表示部２５４ｂが表示する表示内容を拡大して、さらに、斜設半透鏡２５２ｃで後方に反射させることにより、使用者が大きな表示内容の画像を、明視の距離に配置するような状態で明瞭に見ることができるようにするために、左側モニタユニット２５４に設けられる。右側光学素子２５４ｃは、単数又は複数の凸レンズを含み、さらに、必要に応じて単数又は複数の凹レンズも含むように構成される。図６に示す構成では、左側光学素子２５４ｃの光軸２５４ｘは垂直方向に配置され、左側部分半透鏡２５２は水平面に対して４５度の角度をなすように配置され、前方視認用右側レンズ２５０の光軸２５０ｘは垂直方向に配置される。右側光学素子２５４ｃの光軸２５４ｘと、前方視認用右側レンズ２５０の光軸２５０ｘは、一致するように構成されるのが好ましい。この構成により、使用者は左側モニタ表示部２５４ｂが表示する表示内容を肉眼によって明瞭に見ることができる。変形例として、左側モニタユニット２５４、左側部分半透鏡２５２を設けないように構成するともできるし、或いは、左側モニタユニット２５４、左側部分半透鏡２５２を設けて、右側モニタユニット２３４、右側部分半透鏡２３２を設けないように構成するともできる。変形例として、斜設半透鏡の位置に、液晶ミラーを配置することもできる。この構成では、モニタユニットのモニタ制御部に、液晶ミラー制御部を設けるのがよい。
【００４３】
或いは、必要ならば、画像記録装置１５０は、設置用モニタ装置１７０と音声情報を無線によって送受信するための管理用無線ユニット１６５を備えるように構成することができる。この構成では、管理用無線ユニット１６５は、マイク１６５ａと、スピーカ１６５ｂと、アンテナ１６５ｃと、無線制御回路（図示せず）を含むように構成することができる。この場合、設置用モニタ装置２００は、画像記録装置１５０と音声情報を無線によって送受信するための作業用無線ユニット（図示せず）を右側支持部２２６に設けるように構成することができる。この構成では、作業用無線ユニットは、イヤーマイクと、スピーカと、アンテナと、無線制御回路（いずれも図示せず）とを含むように構成することができる。スピーカは、右耳用のイヤホンとして構成されるのがよい。
【００４４】
（２・２）監視カメラシステムの作用
以下に、本発明の監視カメラシステムの第２の実施形態において、監視カメラシステム２００の作用について説明する。図４〜図６を参照すると、監視カメラ１１０を監視すべき領域に設置する時、使用者は、ユニットスイッチ１８３ｃを操作して、右側モニタユニット２３４を作動させ、右側モニタ表示部２３４ｂが表示する表示内容を右側部分半透鏡２３２で反射させ右側光学素子２３４ｃにより拡大して右目で見ながら、同時に、左側モニタユニット２５４を作動させ、左側モニタ表示部２５４ｂが表示する表示内容を左側部分半透鏡２５２で反射させ左側光学素子２５４ｃにより拡大して左目で見ながら、監視領域にある被写体のピントを合わせることができる。このとき、使用者は、監視カメラ１００の撮影レンズ１０４の絞り装置１２０を調整しながら、監視領域にある被写体のピントを合わせることができる。
【００４５】
使用者は監視カメラ１１０を操作して、監視カメラ１１０を作動させ、ＣＣＤ素子１３０を作動させる。監視カメラ１１０の作動は、画像記録装置１５０により制御することもできる。この状態で、ＣＣＤ素子１３０は被写体からの光束を受け入れる。次に、画像記録信号発生部１３４は、ＣＣＤ素子１３０が出力する信号に基づいて、監視領域にある被写体の画像に関する情報を記録するための信号を出力する。次に、動作制御部１４０は、画像記録信号発生部１３４が出力する信号に基づいて、被写体の画像に関する電気信号（ビデオ信号）を設置用モニタ装置２００に送る。表示駆動部１８０ｈは、動作制御部１８０ｅが出力する制御信号に基づいて信号処理部１８０ｇが出力する信号を受け入れて、右側モニタ表示部２３４ｂおよび左側モニタ表示部２５４ｂに表示駆動信号を出力する。
【００４６】
使用者は、右側モニタ表示部２３４ｂおよび左側モニタ表示部２５４ｂを見て、監視領域にある被写体の画像を確認しながら、監視カメラ１１０の撮影レンズ１０４のピントを合わせる。次に、使用者は、絞り装置１２０を操作して、適正な絞りの値になるように設定する。この構成により、使用者は、監視カメラ１１０と設置用モニタ装置２００を用いて監視カメラ１１０の初期設定を行い、監視カメラ１１０と画像記録装置１５０を用いて、監視領域にある被写体の状態を監視し、同時に、被写体の画像を記録することができる。
【産業上の利用可能性】
【００４７】
本発明により監視カメラ設置時の作業性が安全で容易であり、監視すべき必要範囲の映像を撮影して効果的に監視することができる監視カメラシステムを製造することができる。
【図面の簡単な説明】
【００４８】
【図１】本発明の監視カメラシステムの第１の実施形態において、使用者が設置用モニタ装置を付けている状態を示す斜視図である。
【図２】本発明の監視カメラシステムの第１の実施形態において、システムの全体構成を示す部分断面図である。
【図３】本発明の監視カメラシステムの第１の実施形態において、システムの一部の構成を示す部分ブロック図である。
【図４】本発明の監視カメラシステムの第２の実施形態において、設置用モニタ装置を示す斜視図である。
【図５】本発明の監視カメラシステムの第２の実施形態において、設置用モニタ装置の右側の部分を示す部分断面図である。
【図６】本発明の監視カメラシステムの第２の実施形態において、設置用モニタ装置の左側の部分を示す部分断面図である。
【符号の説明】
【００４９】
１００    監視カメラシステム
１０２    カメラボディ
１０４    撮像レンズ
１１０    監視カメラ
１３０    ＣＣＤ素子
１５０    画像記録装置
１５６    記録媒体
１７０    設置用モニタ装置
１７８    モニタ表示部
１８０    モニタユニット
１８０ｄ  スイッチ信号入力部
１８０ｅ  動作制御部
１８０ｆ  信号入力部
１８０ｇ  信号処理部
１８０ｈ  表示駆動部
２００    監視カメラシステム
２２０    設置用モニタ装置
２２２    右側フレーム
２３０    前方視認用右側レンズ
２３２    右側部分半透鏡
２３４    右側モニタユニット
２４２    左側フレーム
２５０    前方視認用左側レンズ
２５２    左側部分半透鏡
２５４    左側モニタユニット
【図１】
2005341155.tif 000003
【図２】
2005341155.tif 000004
【図３】
2005341155.tif 000005
【図４】
2005341155.tif 000006
【図５】
2005341155.tif 000007
【図６】
2005341155.tif 000008